(57)【要約】  【課題】  内箱及び外箱の変形を防止して美感を向上できる冷蔵庫を提供する。  【解決手段】  断熱材８を充填した仕切り部７で仕切られる複数の貯蔵室２、３を設けた本体部４を有する冷蔵庫１において、本体部４は外壁を形成する外箱６と、真空成型により貯蔵室２、３の内面及び仕切り部７の前面を一体に形成した内箱５との間に断熱材８を充填して成り、仕切り部７の幅方向に延びる金属製の補強板１２を内箱５に取り付けた。【選択図】      図３
2006343000.tif 000002
【特許請求の範囲】
【請求項１】
断熱材を充填した仕切り部で仕切られる複数の貯蔵室を設けた本体部を有する冷蔵庫において、前記本体部は外壁を形成する外箱と、真空成型により前記貯蔵室の内面及び前記仕切り部の前面を一体に形成した内箱との間に前記断熱材を充填して成り、前記仕切り部の幅方向に延びる金属製の補強板を前記内箱に取り付けたことを特徴とする冷蔵庫。
【請求項２】
前記内箱と前記補強板とをネジ止めしたことを特徴とする請求項１に記載の冷蔵庫。
【請求項３】
前記外箱の周縁を折曲した外側フランジ部を設け、前記補強板の両端を前記外側フランジ部に取り付けたことを特徴とする請求項１または請求項２に記載の冷蔵庫。
【請求項４】
前記外側フランジ部の縁部は前方へ行くほど外側に傾斜した傾斜部から成り、前記補強板を前記傾斜部に取り付けたことを特徴とする請求項３に記載の冷蔵庫。
【請求項５】
前記外側フランジ部と前記補強板とをネジ止めしたことを特徴とする請求項３または請求項４に記載の冷蔵庫。
【請求項６】
前記補強板を前記内箱の背面に配置したことを特徴とする請求項３〜請求項５のいずれかに記載の冷蔵庫。
【請求項７】
前記仕切り部の前面を覆うカバーと、前記カバーの周縁と前記内箱との間をシールするシール部材とを設けたことを特徴とする請求項１〜請求項６のいずれかに記載の冷蔵庫。
【請求項８】
前記本体部の前面を開閉する扉のヒンジ部を前記補強板に取り付けたことを特徴とする請求項１〜請求項７のいずれかに記載の冷蔵庫。
【発明の詳細な説明】
【技術分野】
【０００１】
本発明は、複数の貯蔵室を有する冷蔵庫に関する。
【背景技術】
【０００２】
図７は複数の貯蔵室を有した従来の冷蔵庫の要部を示す側面断面図である。冷蔵庫１は仕切り部７で上下に仕切られる冷凍室２及び冷蔵室３を設けた本体部４を有している。本体部４は外壁を形成する外箱６（図８参照）と真空成形される内箱５との間に発泡樹脂から成る断熱材８を充填して形成されている。仕切り部７の前面に取り付けられるヒンジ部（不図示）により本体部４に枢支される扉（不図示）によって冷凍室２及び冷蔵室３の前面が開閉される。
【０００３】
冷凍室２及び冷蔵室３の内面及び仕切り部７の前面は内箱５により形成され、仕切り部７は内箱５で囲まれた内部に断熱材８が充填されている。仕切り部７の前面には仕切り部７の周辺の結露を防止する管状のヒータ９が配されている。美感の向上のため、ヒータ９はカバー１０で覆われる。また、カバー１０の周縁には合成ゴムや軟質樹脂等から成るシール部材１１が配され、カバー１０と内箱５との間を密閉して冷凍室２及び冷蔵室３内へのヒータ９の熱の流出が防止されている。
【０００４】
図８は仕切り部７の左方の端部を示す上面断面図である。外壁６の前面の開放側は左右の両端部をＳ字状に折曲した外側フランジ部６ａが形成されている。内箱５は冷凍室２及び冷蔵室３の内面を形成する凹部の前面から外側に延びた内側フランジ部５ａを有している。外側フランジ部６ａによりヒータ９を保持するとともに、内側フランジ部５ａを支持して内箱５が保持されている。内側フランジ部５ａには後方に突出したビード部５ｂが形成され、ビード部５ｂが外側フランジ部６ａに密接して断熱材８の漏出が防止される。
【０００５】
【特許文献１】特開平６−１２９７６０号公報（第３頁−第５頁、第２図）
【発明の開示】
【発明が解決しようとする課題】
【０００６】
しかしながら、上記従来の冷蔵庫１によると、内箱５と外箱６との間に断熱材８を注入して発泡する際に断熱材８が収縮する。これにより、内箱５及び外箱６が変形して美観が損なわれる問題があった。また、図９に示すように、内箱５の収縮によりシール部材１１が引張られて内箱５との間に巻き込まれる。これにより、更に美観が損なわれる。
【０００７】
更に、内箱５を介して取り付けられるヒンジ部の傾斜により扉が傾き、冷凍室２及び冷蔵室３の冷気漏れが発生する問題もあった。加えて、断熱材８に引張られて外箱６が内側に変形し、図１０に示すようにカバー１０が外側フランジ部６ａの背後にもぐり込む場合がある。このため、外側フランジ部６ａとカバー１０との間の隙間Ｄ（図８参照）を大きくする必要があり、美観を更に損ねる問題もあった。
【０００８】
本発明は、内箱及び外箱の変形を防止して美感を向上するとともに冷気漏れを防止できる冷蔵庫を提供することを目的とする。
【課題を解決するための手段】
【０００９】
上記目的を達成するために本発明は、断熱材を充填した仕切り部で仕切られる複数の貯蔵室を設けた本体部を有する冷蔵庫において、前記本体部は外壁を形成する外箱と、真空成型により前記貯蔵室の内面及び前記仕切り部の前面を一体に形成した内箱との間に前記断熱材を充填して成り、前記仕切り部の幅方向に延びる金属製の補強板を前記内箱に取り付けたことを特徴としている。
【００１０】
この構成によると、外箱と内箱との間に発泡樹脂等の断熱材を充填して貯蔵室を有する本体部が形成される。内箱は貯蔵室の内面を形成する凹部と仕切り部の前面とが連続して形成される。例えば、上下に配される貯蔵室が左右に延びた仕切り部により仕切られ、仕切り部の前面に左右に延びた金属製の補強板がネジ止め等により取り付けられる。
【００１１】
また本発明は、上記構成の冷蔵庫において、前記内箱と前記補強板とをネジ止めしたことを特徴としている。
【００１２】
また本発明は、上記構成の冷蔵庫において、前記外箱の周縁を折曲した外側フランジ部を設け、前記補強板の両端を前記外側フランジ部に取り付けたことを特徴としている。
【００１３】
また本発明は、上記構成の冷蔵庫において、前記外側フランジ部の縁部は前方へ行くほど外側に傾斜した傾斜部から成り、前記補強板を前記傾斜部に取り付けたことを特徴としている。
【００１４】
また本発明は、上記構成の冷蔵庫において、前記外側フランジ部と前記補強板とをネジ止めしたことを特徴としている。
【００１５】
また本発明は、上記構成の冷蔵庫において、前記補強板を前記内箱の背面に配置したことを特徴としている。
【００１６】
また本発明は、上記構成の冷蔵庫において、前記仕切り部の前面を覆うカバーと、前記カバーの周縁と前記内箱との間をシールするシール部材とを設けたことを特徴とことを特徴としている。
【００１７】
また本発明は、上記構成の冷蔵庫において、前記本体部の前面を開閉する扉のヒンジ部を前記補強板に取り付けたことを特徴としている。
【発明の効果】
【００１８】
本発明によると、仕切り部の幅方向に延びる金属製の補強板を内箱に取り付けたので、断熱材の収縮による内箱の変形を防止して美感を向上することができる。また、仕切り部の前面を覆うカバーの周縁と内箱との間をシールするシール部材を設けた際に内箱の収縮によるシール部材の巻き込みを防止して美観を更に向上することができる。更に、扉のヒンジ部を補強板に取り付けることにより、扉の傾きを防止して冷気漏れを防止することができる。加えて、仕切り部の前面に配されるヒータの熱を伝達するアルミテープ等の貼着を必要としないため冷蔵庫の組み立て作業性が向上する。
【００１９】
また本発明によると、内箱と補強板とをネジ止めしたので、内箱の変形を容易に防止することができる。
【００２０】
また本発明によると、外箱の周縁を折曲した外側フランジ部に補強板の両端を取り付けたので、断熱材を注入して発泡する際に断熱材の収縮による外箱の変形を防止して美感を向上することができる。また、仕切り部の前面を覆うカバーと外側フランジとの間の隙間を小さくすることができ、美感をより向上することができる。
【００２１】
また本発明によると、外側フランジ部の縁部は前方へ行くほど外側に傾斜した傾斜部から成り、補強板を傾斜部に取り付けたので、補強板を外側フランジに前方から容易にネジ止めすることができる。
【００２２】
また本発明によると、外側フランジ部と補強板とをネジ止めしたので、外箱の変形を容易に防止することができる。
【００２３】
また本発明によると、補強板を内箱の背面に配置したので、補強板を容易に外箱に取り付けることができる。
【発明を実施するための最良の形態】
【００２４】
以下に本発明の実施形態を図面を参照して説明する。説明の便宜上、前述の図７〜図１０に示す従来例と同一の部分には同一の符号を付している。図１は一実施形態の冷蔵庫を示す正面図であり、図２は図１のＡ−Ａ断面図である。冷蔵庫１は仕切り部７で上下に仕切られる冷凍室２及び冷蔵室３を設けた本体部４を有している。本体部４は外壁を形成する外箱６と、真空成形される内箱５との間に、発泡樹脂から成る断熱材８を充填して形成されている。仕切り部７の前面に取り付けられるヒンジ部１３により本体部４に枢支される扉（不図示）によって冷凍室２及び冷蔵室３の前面が開閉される。
【００２５】
図３は図２のＣ部の詳細を示す側面断面図である。冷凍室２及び冷蔵室３の内面及び仕切り部７の前面は内箱５により形成され、仕切り部７は内箱５で囲まれた内部に断熱材８が充填されている。仕切り部７の前面を形成する内箱５の背面側には鉄やステンレス等の金属から成る補強板１２が配されている。補強板１２はネジ１４により内箱５と一体化されている。補強板１２を内箱５の背面に配置したので、後述するように、補強板１２の両端を容易に外箱６に取り付けることができる。
【００２６】
仕切り部７の前面には、仕切り部７の周辺の結露を防止する管状のヒータ９が配されている。ヒータ９及びネジ１４はカバー１０で覆われ、前面に露出しないため美感の低下が防止されている。また、カバー１０の周縁にはシール部材１１が配される。図６はシール部材６の近傍の詳細を示す拡大図である。シール部材１１は合成ゴムや軟質樹脂等を成形して成り、カバー１０と内箱５との隙間に圧入される。これにより、カバー１０と内箱５との間を密閉して冷凍室２及び冷蔵室３内へのヒータ９の熱の流出が防止されている。
【００２７】
図４は図１のＢ−Ｂ断面図を示している。仕切り部７は左右の幅方向に延びて上下に配された冷凍室２及び冷蔵室３を仕切り、補強板１２は仕切り部７の幅方向に延びて配される。補強板１２の右方の端部には絞り加工により形成されたネジ孔１２ａが設けられる。ネジ孔１２ａには内箱５（図３参照）を介してヒンジ部１３がネジ止めされる。ヒンジ部１３にはヒンジピン１３ａ、１３ｂ（図１参照）が突設され、ヒンジピン１３ａ、１３ｂにより冷凍室２及び冷蔵室３の扉（不図示）が枢支されている。
【００２８】
図５は図４のＤ部の詳細を示す上面断面図である。外壁６の前面の開放側は左右の両端部をＳ字状に折曲した外側フランジ部６ａが形成されている。外側フランジ部６ａの周縁は前方に向かうほど外側に傾斜した傾斜部６ｂが設けられている。内箱５は冷凍室２及び冷蔵室３の内面を形成する凹部の前面から外側に延びた内側フランジ部５ａを有している。
【００２９】
外側フランジ部６ａによりヒータ９を保持するとともに、内側フランジ部５ａを支持して内箱５が保持されている。内側フランジ部５ａには後方に突出したビード部５ｂが形成される。内側フランジ部５ａはビード部５ｂが傾斜部６ｂの前端と摺動して容易に外側フランジ部６ａ内に挿入される。ビード部５ｂが外側フランジ部６ａに密接して断熱材８の漏出が防止される。
【００３０】
補強板１２は両端部が、くの字型に折曲され、傾斜部６ｂにネジ１４で取り付けられている。補強板１２の両端を傾斜部６ａにネジ止めすることによりネジ１４を前方の内側から締結することができ、補強板１２を容易に傾斜部６ａに取り付けることができる。
【００３１】
本実施形態によると、仕切り部７の幅方向に延びる金属製の補強板１２を内箱５に取り付けたので、断熱材８を注入して発泡する際の断熱材８の収縮による内箱５の変形を防止して美感を向上することができる。また、内箱５の収縮による従来のようなシール部材１１の巻き込み（図９参照）が防止され、美観を更に向上することができる。更に、扉のヒンジ部１３を補強板１２に取り付けたので、ヒンジ部１３の取付部材を別途必要とせず、内箱５の変形による扉の傾きを防止して冷気漏れを防止することができる。
【００３２】
加えて、仕切り部７の前面には結露防止用のヒータ９が所定間隔離れて配される。このため、補強板１２によりヒータ９の熱を伝達して各ヒータ９間に生じる結露を容易に防止することができる。これにより、各ヒータ９間にヒータ９の熱を伝達するアルミテープ等を貼着する必要がなく、冷蔵庫１の組み立て作業性が向上する。
【００３３】
また、外箱６の周縁を折曲した外側フランジ部６ａに補強板１２の両端を取り付けたので、断熱材８の収縮による外箱６の変形を防止して美感を向上することができる。外箱６の変形防止により、仕切り部７の前面を覆うカバー１０と外側フランジ部６ａとの間の隙間Ｄ（図８参照）を小さくすることができ、美感をより向上することができる。
【００３４】
また、内箱５及び外箱６と補強板１２とをネジ１４によりネジ止めしたので、内箱５が補強板１２と強固に一体化され、内箱５及び外箱６の変形を容易に防止することができる。尚、補強板１２を内箱５または外箱６に接着してもよく、補強板１２に内箱５や外箱６と係合する係合爪等を設けてもよい。
【００３５】
本実施形態において、仕切り部７により上下に配された冷凍室２及び冷蔵室３を仕切っているが、他の貯蔵室でもよい。また、左右に配された貯蔵室を仕切る仕切り部を設け、仕切り部の幅方向（上下方向）に延びた補強板１２を仕切り部の前面に設けてもよい。
【産業上の利用可能性】
【００３６】
本発明によると、複数の貯蔵室を有する冷蔵庫に利用することができる。
【図面の簡単な説明】
【００３７】
【図１】本発明の実施形態の冷蔵庫を示す正面図
【図２】図１のＡ−Ａ断面図
【図３】図２のＣ部詳細図
【図４】図１のＢ−Ｂ断面図
【図５】図４のＤ部詳細図
【図６】本発明の実施形態の冷蔵庫のシール部材の近傍を示す図
【図７】従来の冷蔵庫の要部を示す側面断面図
【図８】従来の冷蔵庫の仕切り部を示す上面断面図
【図９】従来の冷蔵庫の課題を説明する図
【図１０】従来の冷蔵庫の課題を説明する図
【符号の説明】
【００３８】
１    冷蔵庫
２    冷凍室
３    冷蔵室
４    本体部
５    内箱
５ａ  内側フランジ部
５ｂ  ビード部
６    外箱
６ａ  外側フランジ部
６ｂ  傾斜部
７    仕切り部
８    断熱材
９    ヒータ
１０    カバー
１１    シール部材
１２    補強板
１３    ヒンジ部
１４    ネジ
【図１】
2006343000.tif 000003
【図２】
2006343000.tif 000004
【図３】
2006343000.tif 000005
【図４】
2006343000.tif 000006
【図５】
2006343000.tif 000007
【図６】
2006343000.tif 000008
【図７】
2006343000.tif 000009
【図８】
2006343000.tif 000010
【図９】
2006343000.tif 000011
【図１０】
2006343000.tif 000012